(57)【要約】　　　（修正有）【課題】一般的な電子レンジの大きさをそのままに維持しながらコーヒーメーカーの機能が行えるように構成された電子レンジを提供する。【解決手段】前方が開放されたキャビティ２０、前記キャビティの開放された前方を開閉するキャビティドア４０、前記キャビティに隣接して提供され、前記キャビティ内にマイクロ波を照射するための多数の部品が設けられる電装室５０、前方が開放され、前記電装室内の前側に提供されるケーシング１００、前記ケーシングの内部に提供される水タンク２００、前記ケーシングの内部に引出入可能に提供されるファンネル３００、前記ケーシングの底部に提供されるヒータ、一端が前記ケーシングの内部の前記水タンク２００に連結され、一部が前記ヒータに接触し、他端が前記ファンネルの上側に位置するように提供される給水チューブ、及び前記ファンネルの下側にケーシングの内部に引出入可能に提供させるコンテーナを含むことを特徴とする。【選択図】　　　図４
2004003814.tif 000002
【特許請求の範囲】
【請求項１】
前方が開放されたキャビティ、
前記キャビティの開放された前方を開閉するキャビティドア、
前記キャビティに隣接して提供され、前記キャビティ内にマイクロ波を照射するための多数の部品が設けられた電装室、
前方が開放され、前記電装室内の前側に提供されるケーシング、
前記ケーシングの内部に提供される水タンク、
前記ケーシングの内部に引出入可能に提供されるファンネル、
前記ケーシングの底部に提供されるヒータ、
一端が前記ケーシングの内部の前記水タンクに連結され、一部が前記ヒータに接触し、他端が前記ファンネルの上側に位置するように提供される給水チューブ、及び
前記ファンネルの下側にケーシングの内部に引出入可能に提供されるコンテーナを含むことを特徴とするコーヒーメーカーが備えられた電子レンジ。
【請求項２】
前記コンテーナはジョッキからなる請求項１記載のコーヒーメーカーが備えられた電子レンジ。
【請求項３】
前記ケーシングの開放された前方を開閉するケーシングドアを更に含む請求項１記載のコーヒーメーカーが備えられた電子レンジ。
【請求項４】
前記ケーシングドアは、前記ケーシングの前方の一方にヒンジ結合される請求項３記載のコーヒーメーカーが備えられた電子レンジ。
【請求項５】
前記ケーシングドアは、前記キャビティドアと連続した面を有する請求項３記載のコーヒーメーカーが備えられた電子レンジ。
【請求項６】
前記ケーシングの前方に取り付けられ、前記ケーシングの内部と外部とを連通させる開口部を有したフロントカバーを更に含む請求項１記載のコーヒーメーカーが備えられた電子レンジ。
【請求項７】
前記フロントカバーの開口部を全部または一部開閉するカバードアを更に含む請求項６記載のコーヒーメーカーが備えられた電子レンジ。
【請求項８】
前記フロントカバーは前記キャビティドアと連続した面を有する請求項６記載のコーヒーメーカーが備えられた電子レンジ。
【請求項９】
前記カバードアは、前記フロントカバーと連続した面を有する請求項７記載のコーヒーメーカーが備えられた電子レンジ。
【請求項１０】
前記水タンクは、
前記ケーシング内に挿入された時、前記ケーシングの開放された前方に露出した入口を有する請求項１記載のコーヒーメーカーが備えられた電子レンジ。
【請求項１１】
前記水タンクは、
ヒンジを中心に回転しながら前記ケーシングの内部と外部を引出入するように前記ケーシングにヒンジ結合される請求項１記載のコーヒーメーカーが備えられた電子レンジ。
【請求項１２】
前記ケーシングは、
棚の役割を果たせるように内壁から内側の空間に突出したブラケットを更に含む請求項１記載のコーヒーメーカーが備えられた電子レンジ。
【請求項１３】
前記水タンクとファンネルとは一つの胴体からなる請求項１記載のコーヒーメーカーが備えられた電子レンジ。
【請求項１４】
前記ファンネルは、
前記水タンクの上部から底面までコーン状に窪んで形成された水タンクの外周面からなる請求項１３記載のコーヒーメーカーが備えられた電子レンジ。
【請求項１５】
前記水タンクは、
上部の一方に形成され、水タンクの入口を開閉する水タンクカバーを更に含む請求項１４記載のコーヒーメーカーが備えられた電子レンジ。
【請求項１６】
前記ファンネルは、
前記ジョッキが前記ケーシング内に収納された時、前記ジョッキにより押されて開放されるコーヒー吐出バルブを更に含む請求項２記載のコーヒーメーカーが備えられた電子レンジ。
【請求項１７】
前記コーヒー吐出バルブは、
前記ファンネルの下部に形成されたドロップホールに上下に移動可能に挿入され、前記ジョッキにより移動して、前記ドロップホールを開放する開閉部材、及び
前記開閉部材と前記ファンネルとの間に提供され、前記開閉部材の一部が前記ドロップホールに密着するように前記開閉部材に弾性力を与えるスプリングを含む請求項１６記載のコーヒーメーカーが備えられた電子レンジ。
【請求項１８】
前記開閉部材は、
前記ファンネルの下部に形成されたドロップホールを貫通するように提供されるスティック、
前記スティックの一端で広く形成され、前記ジョッキによって上側に押し上げられる第２段部、及び
前記スティックの他端で広く形成され、前記ドロップホールを閉鎖し、前記第２段部が押し上げられる時に前記ドロップホールを開放させる第１段部
を含む請求項１７記載のコーヒーメーカーが備えられた電子レンジ。
【請求項１９】
前記スプリングは、前記第２段部と前記ファンネルとの間に提供される請求項１８記載のコーヒーメーカーが備えられた電子レンジ。
【請求項２０】
前記コーヒー吐出バルブは、
前記第１段部が前記ドロップホールを完全に閉鎖できるように、前記ドロップホールが形成された前記ファンネルの底面と、前記第１段部との間に提供されるオーリングを更に含む請求項１８記載のコーヒーメーカーが備えられた電子レンジ。
【請求項２１】
前記第２段部は、前記ジョッキとの滑り接触時に摩擦を減少させるために、その下面がボール形態からなる請求項１８記載のコーヒーメーカーが備えられた電子レンジ。
【請求項２２】
前記第２段部は、
前記ドロップホールを介して流入した後、上面に溜まったコーヒーを前記ジョッキの内部に落下させるために、貫通形成された多数のホールを更に含む請求項２１記載のコーヒーメーカーが備えられた電子レンジ。
【請求項２３】
前記水タンクとファンネルとは一つの胴体からなる請求項２記載のコーヒーメーカーが備えられた電子レンジ。
【請求項２４】
前記ファンネルは、
前記ジョッキが前記ケーシング内に収納された時、前記ジョッキにより押されて開放されるコーヒー吐出バルブを更に含む請求項２３記載のコーヒーメーカーが備えられた電子レンジ。
【請求項２５】
前記コーヒー吐出バルブは、
前記ファンネルの下部に形成されたドロップホールに上下に移動可能に挿入され、前記ジョッキにより移動して、前記ドロップホールを開放する開閉部材、及び
前記開閉部材と前記ファンネルとの間に提供され、前記開閉部材の一部が前記ドロップホールに密着するように前記開閉部材に弾性力を与えるスプリングを含む請求項２４記載のコーヒーメーカーが備えられた電子レンジ。
【請求項２６】
前記開閉部材は、
前記ファンネルの下部に形成されたドロップホールを貫通するように提供されるスティック、
前記スティックの一端で広く形成され、前記ジョッキにより上側に押し上げられる第２段部、及び
前記スティックの他端で広く形成され、前記ドロップホールを閉鎖し、前記第２段部が押し上げられる時に前記ドロップホールを開放させる第１段部を含む請求項２５記載のコーヒーメーカーが備えられた電子レンジ。
【請求項２７】
前記スプリングは前記第２段部と前記ファンネルとの間に提供される請求項２６記載のコーヒーメーカーが備えられた電子レンジ。
【請求項２８】
前記コーヒー吐出バルブは、
前記第１段部が前記ドロップホールを完全に閉鎖できるように、前記ドロップホールが形成された前記ファンネルの底面と、前記第１段部との間に提供されるオーリングを更に含む請求項２６記載のコーヒーメーカーが備えられた電子レンジ。
【請求項２９】
前記第２段部は、前記ジョッキとの滑り接触時に摩擦を減少させるために、その下面がボール形態からなる請求項２６記載のコーヒーメーカーが備えられた電子レンジ。
【請求項３０】
前記第２段部は、
前記ドロップホールを介して流入した後、上面に溜まったコーヒーを前記ジョッキの内部に落下させるために、貫通形成された多数のホールを更に含む請求項２９記載のコーヒーメーカーが備えられた電子レンジ。
【請求項３１】
前記水タンクは、
ケーシング内に安着された時、前記給水チューブの一端により押されて開放され、水を前記給水チューブに供給する給水バルブを更に含む請求項１記載のコーヒーメーカーが備えられた電子レンジ。
【請求項３２】
前記給水バルブは、
前記水タンクの一方を貫通して提供され、内部の空間を有し、水タンクの水が流入するインレットと、水が外部に排出されるアウトレットとを有するバルブボディー、
前記バルブボディーの内部の空間に移動可能に挿入され、前記アウトレットを塞ぎ、前記給水チューブの一端に押されて移動して、前記インレットとアウトレットとを連通させる流路制御板、及び
前記バルブボディーの内部の空間に挿入され、前記流路制御板がアウトレット側に密着するように弾性力を与えるバルブスプリングを含む請求項３１記載のコーヒーメーカーが備えられた電子レンジ。
【請求項３３】
前記給水バルブは、
前記アウトレットと流路制御板との間に位置したバルブボディーの内周面に提供されて漏水を防止するオーリングを更に含む請求項３２記載のコーヒーメーカーが備えられた電子レンジ。
【請求項３４】
前記給水バルブは、
その一端から延長され、前記水タンクが前記ケーシングに安着された時、前記給水バルブの流路制御板を押して前記バルブボディーのアウトレットを開放させる押しピンを更に含む請求項３２記載のコーヒーメーカーが備えられた電子レンジ。
【請求項３５】
前記給水チューブの一端は、
前記バルブボディーがその内側に挿入されるように、前記バルブボディーの外径より大きな内径を有する請求項３４記載のコーヒーメーカーが備えられた電子レンジ。
【請求項３６】
前記給水チューブは、
その一端の内周面に提供され、前記バルブボディーが前記給水チューブの一端に挿入された時、漏水を防止するオーリングを更に含む請求項３５記載のコーヒーメーカーが備えられた電子レンジ。
【請求項３７】
前記水タンクは、
ケーシング内に安着された時、前記給水チューブの一端により押されて開放され、水を前記給水チューブに供給する給水バルブを更に含む請求項１４記載のコーヒーメーカーが備えられた電子レンジ。
【請求項３８】
前記給水バルブは、
前記水タンクの一方を貫通して提供され、内部の空間を有し、水タンクの水が流入するインレットと、水が外部に排出されるアウトレットとを有するバルブボディー、
前記バルブボディーの内部の空間に移動可能に挿入され、前記アウトレットを塞ぎ、前記給水チューブの一端に押されて移動して、前記インレットとアウトレットとを連通させる流路制御板、及び
前記バルブボディーの内部の空間に挿入され、前記流路制御板がアウトレット側に密着するように弾性力を与えるバルブスプリングを含む請求項３７記載のコーヒーメーカーが備えられた電子レンジ。
【請求項３９】
前記給水バルブは、
前記アウトレットと流路制御板との間に位置したバルブボディーの内周面に提供され、漏水を防止するオーリングを更に含む請求項３８記載のコーヒーメーカーが備えられた電子レンジ。
【請求項４０】
前記給水バルブは、
その一端から延長され、前記水タンクが前記ケーシングに安着された時、前記給水バルブの流路制御板を押して、前記バルブボディーのアウトレットを開放させる押しピンを更に含む請求項３８記載のコーヒーメーカーが備えられた電子レンジ。
【請求項４１】
前記給水チューブの一端は、
前記バルブボディーがその内側に挿入されるように、前記バルブボディーの外径より大きな内径を有する請求項３８記載のコーヒーメーカーが備えられた電子レンジ。
【請求項４２】
前記給水チューブは、
その一端の内周面に提供され、前記バルブボディーが前記給水チューブの一端に挿入された時、漏水を防止するオーリングを更に含む請求項４１記載のコーヒーメーカーが備えられた電子レンジ。
【請求項４３】
前記給水チューブは、
水が前記水タンク側に逆流することを防止するように、給水チューブの内部に提供されるチェックバルブを更に含む請求項１記載のコーヒーメーカーが備えられた電子レンジ。
【請求項４４】
前記ケーシングは、
前記ヒータと接触して、前記ケーシングの内部の底面をなし、かつ前記ヒータにより加熱される加熱板を更に含む請求項１記載のコーヒーメーカーが備えられた電子レンジ。
【請求項４５】
前記ジョッキは、
上側が開放され、前記ファンネルから落ちるコーヒーを受けて貯蔵するジョッキボディー、及び
前記ジョッキボディーの一方から延長された摘みを含む請求項２記載のコーヒーメーカーが備えられた電子レンジ。
【請求項４６】
前記ジョッキは、
前記ジョッキボディーの開放された上側の内外部の縁面にそって提供される縁補強部材、及び
前記ジョッキボディーの開放された上側を開閉するように提供され、前記ファンネルのドロップホールから落ちるコーヒーが通過するように流入ホールが貫通形成されたジョッキカバーを含む請求項４５記載のコーヒーメーカーが備えられた電子レンジ。
【請求項４７】
前記ジョッキは、
物体を挟んで掛けるように前記縁補強部材から延長される少なくとも一つ以上のハンガーを更に含む請求項４６記載のコーヒーメーカーが備えられた電子レンジ。
【請求項４８】
前記ジョッキは、
その内部に少なくとも一つ以上の卵が収容され、その一部が前記ハンガーに挟まれて前記ジョッキボディーに固定され、ネットからなる卵用ゆで器を更に含む請求項４７記載のコーヒーメーカーが備えられた電子レンジ。
【請求項４９】
前記卵用ゆで器は、
卵の外周面の半分程度を収容できる窪んだ曲面を有する第１部材、及び
前記第１部材と対応する形状を有し、かつ前記第１部材とヒンジ結合される第２部材を含む請求項４８記載のコーヒーメーカーが備えられた電子レンジ。
【請求項５０】
前記卵用ゆで器は、
前記第１部材または第２部材に少なくとも一つ以上延長され、前記ハンガーに挟まれて前記卵用ゆで器を固定する固定片を更に含む請求項４９記載のコーヒーメーカーが備えられた電子レンジ。
【請求項５１】
前記卵用ゆで器は、
前記第１部材から突出したフック、及び
前記第２部材と前記第１部材が折り畳まれた時、前記フックに掛かって固定されるように、前記第２部材から突出したフックホルダーを更に含む請求項４９記載のコーヒーメーカーが備えられた電子レンジ。
【請求項５２】
前記第１、第２部材は、内側に卵を１列に収容できるように長く形成された一つの窪んだ曲面を有する請求項４９記載のコーヒーメーカーが備えられた電子レンジ。
【請求項５３】
前記第１、第２部材は、内側に卵を２列に収容できるように長くかつ並べて形成された二つの窪んだ曲面を有する請求項４９記載のコーヒーメーカーが備えられた電子レンジ。
【請求項５４】
前記第１、第２部材は、
卵用ゆで器の内部に安着された卵の両側を支持できるように、窪んだ曲面の内側に突出し、卵用ゆで器の内部で個々の卵が移動することを防止する水平部材を更に含む請求項４９記載のコーヒーメーカーが備えられた電子レンジ。
【請求項５５】
前記水平部材は、
卵の幅方向の両側を支持できるように、前記卵用ゆで器の窪んだ曲面に狭い間隔で配置された請求項５４記載のコーヒーメーカーが備えられた電子レンジ。
【請求項５６】
前記水平部材は、
卵の長さ方向の両側を支持できるように、前記卵用ゆで器の窪んだ曲面に広い間隔で配置された請求項５４記載のコーヒーメーカーが備えられた電子レンジ。
【請求項５７】
前記ジョッキは、
前記縁補強部材から前記ジョッキボディーの内側に水平に突出した多数のラックを含む請求項４６記載のコーヒーメーカーが備えられた電子レンジ。
【請求項５８】
前記ラックは、
ティーバッグまたはティーインフューザーに連結された紐を結んで固定できるように、外周面から内側にカッティングされたスリットを更に含む請求項５７記載のコーヒーメーカーが備えられた電子レンジ。
【請求項５９】
前記ラックは、
ティーバックまたはティーインフューザーに連結された紐を結んで固定できるように、外周面から内側にくさび形状にカッティングされた固定溝を更に含む請求項５７記載のコーヒーメーカーが備えられた電子レンジ。
【請求項６０】
前記ジョッキは、
内側にティーが入り、下部が前記ジョッキボディーに貯蔵された水に漬かるように上側の一部が前記ラックに乗せられて支持される茶こし器を更に含む請求項５７記載のコーヒーメーカーが備えられた電子レンジ。
【請求項６１】
前記茶こし器は、
上側が開放された容器形状を有するメッシュ、及び
前記メッシュの開放された上側の縁部にそって形成されたフランジを含む請求項６０記載のコーヒーメーカーが備えられた電子レンジ。
【請求項６２】
前記コンテーナはコップからなる請求項１記載のコーヒーメーカーが備えられた電子レンジ。
【請求項６３】
前記ファンネルは、
前記ファンネルの下部に形成され、前記ファンネルで濾されたコーヒーがその内側に流動し、下方にコーヒーを吐出する多数のコーヒー吐出ホールを有するコーヒー流路を更に含む請求項１記載のコーヒーメーカーが備えられた電子レンジ。
【請求項６４】
前記コンテーナは前記ファンネルのコーヒー吐出ホールの下側に提供される多数のコップからなる請求項６３記載のコーヒーメーカーが備えられた電子レンジ。
【請求項６５】
前記多数のコップが安置され、前記ケーシングの内部に引出入可能に提供されるコップホルダーを更に含む請求項６４記載のコーヒーメーカーが備えられた電子レンジ。
【請求項６６】
前記ケーシングは、
前記コップホルダーの両側の段部が挿入され得るようにケーシングの両側の内面に前後方向に窪んで形成され、前記コップホルダーの引出入を案内するガイド溝を更に含む請求項６５記載のコーヒーメーカーが備えられた電子レンジ。
【請求項６７】
前記コップホルダーは、
前記コップの下部が挟まれ支持され得るように、前記コップホルダーの上面に提供される多数の据え置き溝を含む請求項６５記載のコーヒーメーカーが備えられた電子レンジ。
【請求項６８】
前記コップホルダーは、
前記コップがそれぞれ挟まれ支持され得るように、前記コップホルダーを貫通して提供される多数の据え置き溝を含む請求項６５記載のコーヒーメーカーが備えられた電子レンジ。
【請求項６９】
前記ファンネルは、
前記ファンネルの下部に形成され、前記ファンネルで濾されたコーヒーがその内側に流動し、下方にコーヒーを吐出する多数のコーヒー吐出ホールを有するコーヒー流路を更に含む請求項１４記載のコーヒーメーカーが備えられた電子レンジ。
【請求項７０】
前記コンテーナは、
前記ファンネルのコーヒー吐出ホールの下側に提供される多数のコップからなる請求項６９記載のコーヒーメーカーが備えられた電子レンジ。
【請求項７１】
前記多数のコップが安置され、前記ケーシングの内部に引出入可能に提供されるコップホルダーを更に含む請求項７０記載のコーヒーメーカーが備えられた電子レンジ。
【請求項７２】
前記ケーシングは、
前記コップホルダーの両側の段部が挿入され得るように、ケーシングの両側の内面に前後方向に窪んで形成され、前記コップホルダーの引出入を案内するガイド溝を更に含む請求項７１記載のコーヒーメーカーが備えられた電子レンジ。
【請求項７３】
前記コップホルダーは、
前記コップの下部が挟まれ支持され得るように、前記コップホルダーの上面に提供される多数の据え置き溝を含む請求項７１記載のコーヒーメーカーが備えられた電子レンジ。
【請求項７４】
前記コップホルダーは、
前記コップがそれぞれ挟まれ支持され得るように、前記コップホルダーを貫通して提供される多数の据え置き溝を含む請求項７１記載のコーヒーメーカーが備えられた電子レンジ。
【発明の詳細な説明】
【０００１】
【発明の属する技術分野】
本発明は電子レンジに関し、特に電装室の一部の空間にコーヒーメーカーが備えられた電子レンジに関する。
【０００２】
【従来の技術】
電子レンジは、マイクロ波を用いて食べ物を解凍したり加熱する機器である。図１５は一般的な電子レンジの構造を示す分解斜視図である。図１５を参照すると、一般的な電子レンジは、キャビティ２、電装室１０、ハウジング４、ドア３、マグネトロン１１、トランス１２、そして、送風ファン１３を含めてなる。
【０００３】
キャビティ２は内部に食べ物を収容する空間であり、食べ物を出し入れできるように前方が開放される。電装室１０は、キャビティ２と隣接して位置し、ここにマグネトロン１１、トランス１２、そして、送風ファン１３を始めた各種の部品が提供される。マグネトロン１１は、外部から高圧の電源が印加され、マイクロ波を生成させる。トランス１２は、外部から印加された電源を高圧の電源に変圧してマグネトロン１１に供給する。送風ファン１３は、電装室１０内に設けられた各種の部品を冷却させ、キャビティ２の内部を経由するエアフローを形成する。ハウジング４は、キャビティ２と電装室１０の外部を包むように提供され、ドア３は、キャビティ２と電装室１０の前方で結合され、キャビティ２の開放された前方を開閉する。ドア３にはキャビティ２の開放された前方を通じてキャビティ２の内部が見られるように透明なドアグラスが提供される。
【０００４】
一方、最近はキャビティ２の底面に回転可能なトレイが提供され、このために、トレイを回転させるためのモータを始め、多数の部品が共に提供される。このように、電子レンジには上記した構成要素の他にも様々な構成要素が提供されるが、本明細書では更なる構成要素に対する説明は省略する。
【０００５】
上記のように構成された電子レンジは次のように作動する。
【０００６】
まず、ドア３を開放し、キャビティ２の内部に食べ物を入れた後、ドア３を閉める。そして、コントロールパネル（図示せず）を操作して電子レンジを作動させる。電子レンジが作動すると、トランス１２は電源を高圧に変圧しマグネトロン１１に印加する。マグネトロン１１は高圧の電源が印加されてマイクロ波を生成し、生成されたマイクロ波をアンテナ（図示せず）を介してキャビティ２内に照射する。キャビティ２内に照射されたマイクロ波は、食べ物の水分子を振動させ、食べ物を加熱する。一定時間の間、食べ物にマイクロ波が照射されると食べ物は加熱され続け、解凍されるか調理が完了する。
【０００７】
【発明が解決しようとする課題】
しかしながら、上記のような関連技術の電子レンジは、マイクロ波を用いて食べ物に含まれた水分子を振動させる原理によって食べ物を解凍するか加熱するので、多様な種類の調理を行い難い。たとえば、現代人の嗜好品であるコーヒーは電子レンジでは処理できず、別途のコーヒーメーカーを用いなければならない。
【０００８】
一方、最近は都市化の進行による住居空間の狭小化、及び実用性の追求傾向に伴い、家電製品を始めとした各種の生活必修品などもコンパクト化が要求されており、伝統的な本来の機能のみならず、多様な付加機能を備えた家電製品が必要とされている。しかしながら、一般的な電子レンジではこのような消費者の欲求を充足させることはできなかった。
【０００９】
そこで、本発明の目的は、一般的な電子レンジの大きさをそのままに維持しながらコーヒーメーカーの機能をも行えるように構成されたコーヒーメーカーが備えられた電子レンジを提供することにある。
【００１０】
【課題を解決するための手段】
上記目的を達成するための本発明によるコーヒーメーカーが備えられた電子レンジは、前方が開放されたキャビティ、前記キャビティの開放された前方を開閉するキャビティドア、前記キャビティに隣接して提供され、前記キャビティ内にマイクロ波を照射するための多数の部品が設けられる電装室、前方が開放され、前記電装室内の前側に提供されるケーシング、前記ケーシングの内部に提供される水タンク、前記ケーシングの内部に引出入可能に提供されるファンネル、前記ケーシングの底部に提供されるヒータ、一端が前記ケーシングの内部の前記水タンクに連結され、一部が前記ヒータに接触し、多端が前記ファンネルの上側に位置するように提供される給水チューブ、及び前記ファンネルの下側にケーシングの内部に引出入可能に提供されるコンテーナを含むことを特徴とする。
【００１１】
本発明による電子レンジは、前記ケーシングの開放された前方を開閉するケーシングドアを更に含む。ここで、前記ケーシングドアは、前記ケーシングの前方の一方にヒンジ結合され、前記キャビティドアと連続した面を有する。
【００１２】
本発明による電子レンジは、前記ケーシングの前方に取り付けられ、前記ケーシングの内部と外部とを連通させる開口部を有したフロントカバーを更に含む。ここで、前記フロントカバーの開口部を全部または一部開閉するカバードアを更に含む。そして、前記フロントカバーは前記キャビティドアと連続した面を有し、前記カバードアは、前記フロントカバーと連続した面を有する。
【００１３】
前記ケーシングは、棚の役割を果たせるように内壁から内側の空間に突出したブラケットを更に含む。
【００１４】
前記水タンクは、前記ケーシング内に挿入された時、前記ケーシングの開放された前方に露出される入口を有するか、ヒンジを中心に回転しながら前記ケーシングの内部と外部を引出入するように前記ケーシングにヒンジ結合される。
【００１５】
本発明による電子レンジは、前記水タンクとファンネルとが一つの胴体からなる。
ここで、前記ファンネルは、前記水タンクの上部から底面までコーン状に窪んで形成された水タンクの外周面からなる。そして、前記水タンクは、上部の一方に形成され、水タンクの入口を開閉する水タンクカバーを更に含む。
【００１６】
一方、本発明による電子レンジで前記コンテーナはジョッキからなり得る。この場合、前記ファンネルは、前記ジョッキが前記ケーシング内に収納された時、前記ジョッキにより押されて開放されるコーヒー吐出バルブを更に含む。
【００１７】
前記コーヒー吐出バルブは、前記ファンネルの下部に形成されたドロップホールに上下に移動可能に挿入され、前記ジョッキにより移動して、前記ドロップホールを開放する開閉部材、及び前記開閉部材と前記ファンネルとの間に提供され、前記開閉部材の一部が前記ドロップホールに密着するように前記開閉部材に弾性力を与えるスプリングを含む。
【００１８】
ここで、前記開閉部材は、前記ファンネルの下部に形成されたドロップホールを貫通するように提供されるスティック、前記スティックの一端で広く形成され、前記ジョッキによって上側に押し上げられる第２段部、及び前記スティックの他端で広く形成され、前記ドロップホールを閉鎖し、前記第２段部が押し上げられる時に前記ドロップホールを開放させる第１段部を含む。
【００１９】
前記スプリングは、前記第２段部と前記ファンネルとの間に提供される。
【００２０】
前記コーヒー吐出バルブは、前記第１段部が前記ドロップホールを完全に閉鎖できるように、前記ドロップホールが形成された前記ファンネルの底面と、前記第１段部との間に提供されるオーリングを更に含む。
【００２１】
前記第２段部は、前記ジョッキとの滑り接触時に摩擦を減少させるために、その下面がボール形態からなる。そして、前記第２段部は、前記ドロップホールを介して流入した後、上面に溜まったコーヒーを前記ジョッキの内部に落下させるために、貫通形成された多数のホールを更に含む。
【００２２】
一方、前記水タンクは、ケーシング内に安着された時、前記給水チューブの一端により押されて開放され、水を前記給水チューブに供給する給水バルブを更に含む。
【００２３】
前記給水バルブは、前記水タンクの一方を貫通して提供され、内部の空間を有し、水タンクの水が流入するインレットと、水が外部に排出されるアウトレットとを有するバルブボディー、前記バルブボディーの内部空間に移動可能に挿入され、前記アウトレットを塞ぎ、前記給水チューブの一端に押されて移動して、前記インレットとアウトレットとを連通させる流路制御板、及び前記バルブボディーの内部空間に挿入され、前記流路制御板がアウトレット側に密着するように弾性力を与えるバルブスプリングを含む。
【００２４】
そして、前記給水バルブは、前記アウトレットと流路制御板との間に位置したバルブボディーの内周面に提供されて漏水を防止するオーリングを更に含む。
【００２５】
前記給水バルブは、その一端で延長され、前記水タンクが前記ケーシングに安着された時、前記給水バルブの流路制御板を押して前記バルブボディーのアウトレットを開放させる押しピンを更に含む。ここで、前記給水チューブの一方は、前記バルブボディーがその内側に挿入されるように、前記バルブボディーの外径より大きな内径を有する。
【００２６】
そして、前記給水チューブは、その一端の内周面に提供され、前記バルブボディーが前記給水チューブの一端に挿入された時、漏水を防止するオーリングを更に含む。
【００２７】
一方、前記給水チューブは、水が前記水タンク側に逆流することを防止するように、給水チューブの内部に提供されるチェックバルブを更に含む。
【００２８】
そして、前記ケーシングは、前記ヒータと接触して、前記ケーシングの内部の底面をなし、かつ前記ヒータにより加熱される加熱板を更に含む。
【００２９】
本発明による電子レンジで前記ジョッキは、上側が開放され、前記ファンネルから落ちるコーヒーを受けて貯蔵するジョッキボディー、及び前記ジョッキボディーの一方から延長された摘みを含む。そして、前記ジョッキは、前記ジョッキボディーの開放された上側の内外部の縁面にそって提供される縁補強部材、及び前記ジョッキボディーの開放された上側を開閉するように提供され、前記ファンネルのドロップホールから落ちるコーヒーが通過するように流入ホールが貫通形成されたジョッキカバーを含む。
【００３０】
前記ジョッキは、物体を挟み掛けるように前記縁補強部材から延長された少なくとも一つ以上のハンガーを更に含む。
【００３１】
前記ジョッキは、その内部に少なくとも一つ以上の卵が収容され、その一部が前記ハンガーに挟まれて前記ジョッキボディーに固定され、ネットからなる卵用ゆで器を更に含む。
【００３２】
ここで、前記卵用ゆで器は、卵の外周面の半分程度を収容できる窪んだ曲面を有する第１部材、及び前記第１部材と対応する形状を有し、かつ前記第１部材とヒンジ結合される第２部材を含む。
【００３３】
前記卵用ゆで器は、前記第１部材または第２部材に少なくとも一つ以上延長され、前記ハンガーに挟まれて前記卵用ゆで器を固定する固定片を更に含む。
【００３４】
前記卵用ゆで器は、前記第１部材から突出するフック、及び前記第２部材と前記第１部材が折り畳まれた時、前記フックに掛かって固定されるように、前記第２部材から突出したフックホルダーを更に含む。
【００３５】
ここで、前記第１、第２部材は、内側に卵を１列に収容できるように長く形成された一つの窪んだ曲面を有するか、内側に卵を２列に収容できるように長くかつ並べて形成された二つの窪んだ曲面を有する。
【００３６】
また、前記第１、第２部材は、卵用ゆで器の内部に安着された卵の両側を支持できるように、窪んだ曲面の内側に突出して、卵用ゆで器の内部で個々の卵が移動することを防止する水平部材を更に含む。
【００３７】
ここで、前記水平部材は、卵の幅方向の両側を支持できるように、前記卵用ゆで器の窪んだ曲面に狭い間隔で配置されるか、卵の長さ方向の両側を支持できるように、前記卵用ゆで器の窪んだ曲面に広い間隔で配置される。
【００３８】
一方、前記ジョッキは、前記縁補強部材から前記ジョッキボディーの内側に水平に突出する多数のラックを含む。この際、前記ラックは、ティーバッグまたはティーインフューザーに連結された紐を結んで固定できるように、外周面から内側にカッティングされたスリットを更に含めてなるか、ティーバックまたはティーインフューザーに連結された紐を結んで固定できるように、外周面から内側にくさび形状にカッティングされた固定溝を更に含めてなる。
【００３９】
また、前記ジョッキは、内側にティーが入り、下部が前記ジョッキボディーに貯蔵された水に漬かるように上側の一部が前記ラックに乗せられて支持される茶こし器を更に含む。ここで、前記茶こし器は、上側が開放された容器形状を有するメッシュ、及び前記メッシュの開放された上側の縁部にそって形成されたフランジを含む。
【００４０】
一方、前記ファンネルは、前記ファンネルの下部に形成され、前記ファンネルで濾されたコーヒーがその内側に流動し、下方にコーヒーを吐出する多数のコーヒー吐出ホールを有するコーヒー流路を更に含む。
【００４１】
そして、前記コンテーナは前記ファンネルのコーヒー吐出ホールの下側に提供される多数のコップからなる。この場合、本発明による電子レンジは、前記多数のコップが安置され、前記ケーシングの内部に引出入可能に提供されるコップホルダーを更に含む。
【００４２】
そして、前記ケーシングは、前記コップホルダーの両側の段部が挿入され得るようにケーシングの両側の内面に前後方向に窪んで形成され、前記コップホルダーの引出入を案内するガイド溝を更に含む。
【００４３】
一方、前記コップホルダーは、前記コップの下部が挟まれ支持され得るように、前記コップホルダーの上面に提供される多数の据え置き溝を含めてなるか、前記コップがそれぞれ挟まれ支持され得るように、前記コップホルダーを貫通して提供される多数の据え置き溝を含めてなる。
【００４４】
【発明の実施の形態】
以下、本発明の実施形態を添付の図面に基づいて詳細に説明する。
【００４５】
第１の実施形態
本発明の第１の実施形態は電装室にコーヒーメーカーが装着された電子レンジを提供する。本発明の第１の実施形態の構造的な特徴は図１乃至図３によく図示されているので、上記図面などを参照して本発明の第１の実施形態の構造を説明する。
【００４６】
本発明の第１の実施形態は上記図面などに図示されているように、キャビティ（図示せず）、キャビティドア４０、電装室５０、ケーシング１００、水タンク２００、ファンネル３００、ヒーター６００、給水チューブ５００、そして、ジョッキ４００を含んでなる。
【００４７】
前記キャビティはフレーム３０の内側に所定の空間を有するように形成される。前記キャビティの前方は開放され、キャビティドア４０が前記キャビティの開放された前方を開閉できるように上記キャビティの前方の片側にヒンジ結合される。そして、前記キャビティの底面にはトレー（図示せず）が回転可能に提供される。このように、トレーが備えられたら、食べ物を回転させてマイクロ波を食べ物に均等に照射できるようになり、向上した加熱特性を得ることができる。
【００４８】
電装室５０は前記キャビティと隣接に、例えば、前記キャビティの側面に提供される。このような電装室５０には前記キャビティ内にマイクロ波を照射してキャビティ内に収容された食べ物を調理するための多数の電気部品が設けられる。例えば、電装室５０にはマグネトロン５１、トランス５２、送風ファン５３、そして、モーター（図示せず）を含む多様な部品が設けられる。
【００４９】
ここで、トランス５２は外部電源を印可されて高圧に変圧し、マグネトロン５１はトランス５２から高圧の電源を印可されてマイクロ波を生成した後、アンテナ（図示せず）を介して上記キャビティ内に照射する。前記モーターは外部電源が印可されて上記トレーを回転させる。送風ファン５３は電装室５０内に設けられた部品など、特に、マグネトロン５１及びトランス５２のように、熱を多く発散する部品などに向けて外部空気を送風し、これらの部品を冷却する。また、送風ファン５３は上記キャビティを経由した後、外部に排出される空気の流路を発生させる役割を兼ねる。
【００５０】
ケーシング１００は内部に水タンク２００、ファンネル３００、そして、ジョッキ４００などを収容できる空間を有しており、前方が開放され、図１に図示されたように電装室５０内の前方に提供される。このように、電装室５０内にケーシング１００が提供されるために、マグネトロン５１、トランス５２、送風ファン５３、そして、モーターなどの電気部品は電装室５０の後側に従前より稠密に配置される。本発明による電子レンジでは電装室５０に多数の部品が稠密に配置されるので、送風ファン５３の容量を大きく設計したり、冷却流路の構造を改善したりして従来の電子レンジよりも電装室５０を冷却させる性能を改善するのが好ましい。
【００５１】
水タンク２００は図１及び図２に図示されたように、ケーシング１００の内部に提供される。このような水タンク２００は内部に水を貯蔵する空間を有し、ケーシング１００の内部空間の上側に配置される。このような水タンク２００はケーシング１００内に挿入された時、ケーシング１００の開放された前方に露出する入口２１０を有するように構成されたり、ヒンジ（図示せず）を中心として回転しながらケーシング１００の内部と外部とを引出し及び押込みできるようにケーシング１００の前方の片側にヒンジ結合されることができる。
【００５２】
図１及び図２に図示されたように、水タンク２００が外部に露出する入口２１０を有すると、水タンク２００を外部に引出さない状態で水を供給することができる。一方、上記入口２１０は外部に直接露出したり、ケーシング１００の前面を開閉するケーシングドア１１０を開放したりした時にのみ、外部に露出するように構成されることができる。上記入口２１０が外部に直接露出する場合には、上記入口２１０を開閉する入口開閉用蓋（図示せず）が備えられるのが好ましい。そして、図１に図示されたように、ケーシング１００の前面にケーシングドア１１０が備えられた場合には、ケーシングドア１１０を開放した時にのみ、上記入口２１０が外部に露出し、ケーシングドア１１０を閉じた時には上記入口２１０が外部に露出しないように構成するのが好ましい。
もちろん、ケーシングドア１１０を閉じた時、上記入口２１０とケーシングドア１１０とが相互干渉しないように設計しなければならない。
【００５３】
一方、図示しなかったが、水タンク２００がケーシング１００にヒンジ結合するように構成されたら、水タンク２００内に水を供給しようとする場合に、ヒンジを中心として水タンク２００を回転させて外部に引出した後、水タンク２００の片側に形成される入口（図示せず）を介して水を供給すればよい。水タンク２００内に水を供給した後に、再びヒンジを中心として回転させると、水タンク２００はケーシング１００内に収納されるので、とても便利に使用することができる。
【００５４】
また、水タンク２００は図示しなかったが、外部に完全に引出した後、水を供給できるように構成することもできる。このように構成される場合、水タンク２００の入口は水タンク２００がケーシング１００内に収納された時、外部に露出する必要がない。
【００５５】
水タンク２００はケーシング１００に一部が固定されるように提供されることができるが、ケーシング１００と完全に分離され得る構造を有することもできる。このように、水タンク２００とケーシング１００とが完全に分離される構造では、水タンク２００を支持するためのブラケットが提供される。このようなブラケットは例え、第１の実施形態を説明する図面には図示されていないが、第２の実施形態と第３の実施形態とを説明する図４及び図１２にはそれぞれよく示されている。図４及び図１２に示すように、ケーシング１００の内壁の両側で内側空間に向けて互いに向かい合うように突出されるブラケットは棚の役割を果たし、水タンク２００を下側で支持して固定する。このようにブラケットが提供されると、水タンク２００を外部に引出して水を供給した後、再びブラケットに支持されるようにケーシング１００に収納すればよいので、構造が簡単でありながらも極めて実用的である。
【００５６】
ファンネル３００はケーシング１００の内部に引出し及び押込み可能に提供されるが、第１の実施形態では図１及び図２に図示されたように、水タンク２００と別途の胴体で製作されて水タンク２００の下側に配置されるように提供される。図１と図２とにはファンネル３００の内部構造が詳しく図示されてはいないが、第１の実施形態のファンネル３００は一般的なコーヒーメーカーに提供されたファンネルと大同小異の構造を有する。即ち、ファンネル３００は上部の内周面の直径が大きく、下部の内周面の直径が小さいコーン形状を有する。このような形状からなったファンネル３００の内側には紙または不織布などの材質から作られたフィルター（図示せず）が装着され、上記フィルター上にコーヒー粉が入れられることになる。そして、ファンネル３００に熱い水が供給されたら、コーヒー粉が水に溶解され、溶解されたコーヒー溶液はフィルターを経た後、下側に落ちる。このために、ファンネル３００の下側には溶液状態のコーヒーが下側に落ちることができるドロップホールが備えられ、必要によって外力により上記ドロップホールを開閉するコーヒー吐出バルブなどが更に備えられる。このように、コーヒーをドロップさせるための構造に対しては、後述する第２の実施形態及び第３の実施形態で詳しく説明する。
【００５７】
一方、本発明の第１の実施形態では、ファンネル３００からドロップされたコーヒーを貯蔵するためのコンテナーとしてジョッキ４００を提供する。ジョッキ４００はケーシング１００の内側に引出し及び押し込み可能なようにファンネル３００の下側に提供される。このようなジョッキ４００は上側が開放された容器の形態を有し、片側に摘み４１０を有する。それ故に、使用者は摘み４１０を握ってジョッキ４００をケーシング１００に容易に入れたり、引出したりすることができる。ジョッキ４００は一般的に、その内側に貯蔵されたコーヒーの容量などを容易く分かることができるように、透明なガラスまたはプラスティックからなるのが望ましい。このようなジョッキ４００の具体的な構成に対しては、第２の実施形態及び第３の実施形態で更に詳しく説明する。
【００５８】
ヒーター６００は図３に図示されたようにケーシング１００の底部に提供され、ケーシング１００の底面に載せられたジョッキ４００を加熱する。それ故に、ジョッキ４００内に貯蔵されたコーヒーはヒーター６００から伝達された熱によって常時暖かい状態を維持する。
【００５９】
一方、本発明の第１の実施形態において、ケーシング１００には加熱板１６０が更に提供される。加熱板１６０は図３に図示されたようにケーシング１００の内部の底面をなし、ヒーター６００と接触して加熱された後、その熱をジョッキ４００に伝達する。このために、加熱板１６０は熱伝達性能の優れた材質からなるのが望ましい。そして、加熱板１６０とケーシング１００との他の部分との連結部分は絶縁材質からなり、ヒーター６００の熱が加熱板１６０外に他の所に伝達されることを防止するのが好ましい。
【００６０】
給水チューブ５００は図３に図示されたように一端５１０が水タンク２００に連結され、他端５６０がファンネル３００の上側に位置し、その一部がヒーター６００に接触されるように提供される。これをもっと詳しく説明すれば、給水チューブ５００の一端は水タンク２００の底面または下部の側面に連結され、ケーシング１００の外部に引出された後、ケーシング１００の底面に提供されたヒーター６００と所定の面積が接触した後に、再びケーシング１００の内側に引込まれて他端５６０がファンネル３００の上側に位置するように設けられる。この時、水が吐出される他端５６０は水が引込まれる一端５１０より高い位置に設けられる。これは、水タンク２００に貯蔵された水が加熱されていない状態で単純な大気圧差により他端５６０を介して吐出されることを防止するためである。給水チューブ５００がこのように設けられたら、水タンク２００に貯蔵された水は給水チューブ５００の一端５１０を介して押し込まれた後、ヒーター６００と接触する部分を経由しながら加熱された後、蒸気圧によって上昇し、他端５６０を介してファンネル３００に吐出される。給水チューブ５００でヒーター６００と接触される部分はその内側に流動する水にヒーター６００の熱をより多く伝達できるように熱伝達率のよい材質からなるのが好ましい。
【００６１】
一方、給水チューブ５００の中間には給水チューブ５５０の内側にある水が水タンク２００側へ逆流することを防止するためのチェックバルブ５５０が提供される。チェックバルブ５５０は多様な構造からなり得るが、一番簡単な構造中の一つを説明すれば、次の通りである。
【００６２】
給水チューブ５００の一端５１０側、即ち、水タンク２００と近い側は少し小さい内径を有する。そして、ヒーター６００と隣接の側は上記水タンク２００と近い側の内径より少し大きい内径を有する。このように、互いに異なる内径を有する部分のうち、少し大きい内径を有する給水チューブ５５０の内側にボール（図示せず）が提供される。ここで、ボールは少し大きい内径を有した部分の給水チューブ５００内では自由に移動でき、少し小さい内径を有した部分の給水チューブ５００内には移動できず、水の流路を防ぐことができる大きさを有する。
【００６３】
チェックバルブ５５０が上記した構造からなると、次のような原理によって水の逆流を防止する。
【００６４】
水タンク２００で給水チューブ５００の内側に押し込まれた水はチェックバルブ５５０を経てヒーター６００と接触する部分に移動する。この時、ボールは重力と水圧とによって下側に位置するので、内径が小さい部分の流路を防ぐことができない。ヒーター６００が加熱されることに従ってヒーター６００と接した部分の給水チューブ５００が加熱され、給水チューブ５００内の水も共に加熱される。給水チューブ５００内の水が加熱されれば、給水チューブ５００の内側の圧力が高くなるので、高い圧力によって上記ボールが上昇し、給水チューブ５００の内径が小さい部分の流路を遮断することになる。このように、内径が小さい部分の入口が遮断されたら、ヒーター６００によって加熱された水は水タンク２００側に上昇できないため、逆流が防止される。逆流が防止された状態で水がもう少し加熱されたら、蒸気圧により水は完全に解放されている他端５６０側に上昇した後、ファンネル３００に供給される。多い量の水が圧力によって上昇し、他端５６０側に吐出されたら、再び給水チューブ５５０の内側の圧力が低くなるので、上記ボールが下降しながら水タンク２００に貯蔵された水が下側に供給される。そして、上記した過程を繰り返しながら水が加熱され、加熱された水は水タンク２００側への逆流が防止された状態でファンネル３００に供給される。
【００６５】
このように、本発明には上記のような水圧と重力及び蒸気圧を用いた簡単な構造のチェックバルブ５５０が提供される。しかし、本発明でチェックバルブ５５０はこのような構造に限定されるものではない。即ち、外部電源により作動しながら水が加熱されて沸く間に、一時的に給水チューブ５００の流路を閉鎖するバルブを別途に設けることも可能である。
【００６６】
一方、本発明の第１の実施形態では上述したようにケーシング１００の開放された前方を開閉するケーシングドア１１０が更に備えられる。
ケーシングドア１１０はケーシング１００の前方の片側にヒンジ１１１で結合されるが、その前面は隣接に設けられたキャビティドア４０と連続する面を有するのが好ましい。
【００６７】
このようなケーシングドア１１０は閉じられた時、水タンク２００、ファンネル３００、そして、ジョッキ４００が完全にケーシング１００内に収納されるようにケーシングドア１１０の開放された前方全体を開閉できるように提供され得る。しかし、一般的にジョッキ４００の場合には、使用者がコーヒーを飲むために随時に引出し及び押込みするので、図１に図示されたようにジョッキ４００が位置した部分を除外し、水タンク２００とファンネル３００とが位置した部分のみ開閉できるように提供されるのも良い。そうすると、ケーシングドア１１０を閉じた状態でも使用者はジョッキ４００を引出した後、コーヒーを注いで飲むことができるようになる。
【００６８】
一方、第１の実施形態において、ケーシング１００の開放された前面にはフロントカバーが結合される。上記フロントカバーはケーシング１００の内部と外部とを連通させる開口部を有し、必要な場合、電子レンジ及びコーヒーメーカーを作動させるためのコントローラなどが設けられる。そして、必要に応じて上記開口部を開閉するカバードアが更に備えられる。このように備えられるフロントカバーとカバードアとは第２の実施形態及び第３の実施形態を説明する時、図面を参照して詳しく説明する。
【００６９】
ハウジング（図示せず）はフレーム３０と電装室５０の外部とを覆うように設けられ、電子レンジの内部構成要素などを保護する。
【００７０】
上記のように構成された本発明の第１の実施形態は次のように作動する。第１の実施形態の作動を説明するのにおいて、マイクロ波を用いてキャビティ内の食べ物を加熱する基本的な電子レンジの機能と関連した内容は従来の技術を説明しながら、既に記述されたので省略する。但し、本明細書では、本発明による電子レンジに付加されたコーヒーメーカーの機能を中心としてその作動を説明する。
【００７１】
まず、ケーシング１００からファンネル３００を引出し、ファンネル３００の内周面にフィルターを設ける。そして、フィルター上に適正量の粉末コーヒーを供給した後、ファンネル３００をケーシング１００内に収納する。ジョッキ４００は綺麗に洗ってその底面が加熱板１６０と接触するようにケーシング１００内に収納する。水タンク２００に水を供給した後、電子レンジに結合されたコーヒーメーカーを作動させる。
【００７２】
コーヒーメーカーが作動すると、ヒーター６００が発熱しながら、ヒーター６００と接触する給水チューブ５００及び加熱板１６０を加熱する。これと同時に、水タンク２００から給水チューブ５００の内側に水が供給され、給水チューブ５００に供給された水は下側に落下してヒーター６００により加熱される。
【００７３】
所定の時間が経過して水が沸きながら給水チューブ５００内の圧力が高くなると、上記ボールが給水チューブ５００の流路を防ぐことになるので、沸いた水は高い蒸気圧によって上昇しながら、給水チューブ５００の他端５６０を介してファンネル３００に吐出される。ファンネル３００に湯が供給されたら、粉末コーヒーが溶解され、溶液状態のコーヒーはドロップホールを介してジョッキ４００の内側に落ちてジョッキ４００に貯蔵される。この時、ジョッキ４００はヒーター６００によって加熱された加熱板１６０と直接接触されているので、コーヒーを常時暖かい状態に維持させる。
【００７４】
一方、ヒーター６００によって加熱された水が一定量ファンネル３００に供給されると、給水チューブ５００の圧力が下がるので、上記ボールが下降して給水チューブ５００の流路を開放する。給水チューブ５００の流路が開放されたら、水タンク２００内の水が再びヒーター６００と隣接の側に供給され、ヒーター６００によって加熱された後、圧力により給水チューブ５００の他端５６０を介してファンネル３００に供給される。上記した過程を繰り返しながら、水タンク２００に貯蔵された水は全量加熱されてファンネル３００に供給された後、液状のコーヒーになってジョッキ４００に貯蔵される。
【００７５】
ジョッキ４００に貯蔵されたコーヒーは上記したように加熱板１６０によって常時加熱され、暖かい状態を維持するので、使用者はいつでもジョッキ４００を引出して暖かいコーヒーを好むことができる。
【００７６】
本発明の第１の実施形態は次のような長所を有する。
第一に、マイクロ波を用いて食べ物を加熱する電子レンジの基本的な機能以外にも、現代人の嗜好品であるコーヒーを作れる機能を有しているので、とても便利である。
【００７７】
第二に、コーヒーメーカーは相対的に空間余裕を有した電装室に提供されるので、他の電機部品を電装室に少し稠密に設ければ、キャビティの空間を縮小したり、電子レンジの全体的な大きさを広げたりしなくてもよい。それ故に、本発明を使用すれば、厨房などの空間活用度を高めることができる。
【００７８】
第２の実施形態
本発明の第２の実施形態は、コーヒーメーカーの空間活用度を高めるために水タンクとファンネルとが一つの胴体からなる構造を有する。そして、水の供給及びコーヒーのドロップと関連した種々の部分の構造が改善されたコーヒーメーカーが備えられた電子レンジを提供する。また、ジョッキには卵を茹でたりお茶をとるのに便利な諸般構造が提供される。
【００７９】
本発明の第２の実施形態の構造的な特徴は図４乃至図１１に良く図示されており、これらの図面を参照して第２の実施形態の構造を詳しく説明する。
【００８０】
図４を参照すると、本発明の第２の実施形態はキャビティ２０、キャビティドア４０、電装室５０、ケーシング１００、給水チューブ５００、一つの胴体からなる水タンク２００とファンネル３００、ジョッキ４００、ヒーター６００、そして、ハウジング６０を含んでなる。
【００８１】
フレーム３０の内側に形成されたキャビティ２０は前方が開放され、キャビティドア４０はキャビティ２０の開放された前方を開閉するように提供される。
電装室５０はキャビティ２０の側面に提供され、ここにマグネトロン５１、トランス５２、そして、送風ファン５３を始めとした電気部品などが装着される。ケーシング１００は電装室５０の内部の前方に提供され、水タンク２００とファンネル３００及びジョッキ４００はケーシング１００の内部に引出し及び押込み可能に提供される。ヒーター６００はケーシング１００の底部に提供され、給水チューブ５００は一端５１０が水タンク２００と連結され、他端５６０がファンネル３００の上側に位置し、一部がヒーター６００と接触するように提供される。そして、ハウジング６０はフレーム３０と電装室５０とを覆蓋して電子レンジの内部部品を保護する。
【００８２】
ここで、キャビティ２０と電装室５０を始め、電子レンジを構成する基本的な構成、そして、ケーシング１００と給水チューブ５００、ヒーター６００及び加熱板など、コーヒーメーカーを構成する構成要素については、図１乃至図３を参照して説明された第１の実施形態に詳しく記載されているので、ここではその詳細な説明を省略する。但し、以下では第１の実施形態とその構成が異なるか、新たに追加された構成要素を中心として第２の実施形態の詳細な構成について説明する。
【００８３】
ケーシング１００の開放された前方にはフロントカバー１３０が取り付けられる。フロントカバー１３０は図４に図示されたように、ケーシング１００の内部と外部とを連通させる開口部を有する。それ故に、使用者は上記開口部を介してジョッキ４００及び水タンク２００を外部に引出し、ケーシング１００の内部に挿入する。フロントカバー１３０には電子レンジ及びコーヒーメーカーを制御するためのコントローラボタンが提供されることができる。このように提供されるフロントカバー１３０の前面は美感を向上させるためにキャビティドア４０の前面と連続した面を有する。
【００８４】
第２の実施形態の技術的な特徴のうち一つは、図４及び図５に示すように、水タンク２００とファンネル３００とが一つの胴体からなったことであるが、これを詳しく説明する。
【００８５】
水タンク２００は内部に水が貯蔵される空間を有し、ほぼ上側、例えば、上面の片側に外部から水を供給できるように外部と内部とを連通させる入口を有する。そして、水タンクカバー２２０が水タンク２００の入口を開閉できるように提供される。ファンネル３００は図４及び図５に図示されたように、水タンク２００の上部中央から底面まで上側の直径が下側の直径より大きいコーン形状に窪んで形成された水タンク２００の外周面からなる。ファンネル３００がこのように構成されると、水タンク２００とファンネル３００とが上下でそれぞれ自己の空間を有していた第１の実施形態よりもっとコンパクトなコーヒーメーカーを提供できる。上記のように、水タンク２００の外面がコーン形状に窪んでなされて形成されたファンネル３００の内周面にはフィルターが装着された後、粉末コーヒーが供給される。水タンク２００の前面２３０はフロントカバー１３０と連続した面を有する。
【００８６】
一方、図５に示すように、ヒーター６００により加熱された熱い水をファンネル３００に供給する給水チューブ５００の他端５６０は、水タンク２００がケーシング１００に完全に収納された時、ファンネル３００の上側に位置するように配置される。
【００８７】
第２の実施形態でコンテナーはジョッキ４００からなるが、ファンネル３００は図５及び図６に示すように、ジョッキ４００がケーシング１００内に収納された時にのみ、ファンネル３００にある液状のコーヒーが下側にドロップされるようにドロップホール３１０の流路を制御するコーヒー吐出バルブ３４０を更に含んでなる。
【００８８】
コーヒー吐出バルブ３４０はファンネル３００の下側に形成されたドロップホール３１０の流路を閉鎖し、ジョッキ４００がケーシング１００内に収納された時、ジョッキ４００の上部に押されて動き、ドロップホール３１０を開放することになる。このようなコーヒー吐出バルブ３４０は図６に図示されたように、ドロップホール３１０を直接的に開閉する開閉部材３２０と、開閉部材３２０に弾性復元力を付与するスプリング３３０とを含んでなる。
【００８９】
開閉部材３２０はスティック３２１、第２の端部３２３、そして、第１の端部３２２を含んでなる。ここで、スティック３２１はファンネル３００の下部に形成されたドロップホール３１０を貫通し、上下に移動可能に提供される。
第２の端部３２３はスティック３２１の一端、例えば、下端に広く形成され、ジョッキ４００がケーシング１００に収納された時、ジョッキ４００の上面に接触して押し上げられる。第１の端部３２２はスティック３２１の他端、例えば、上端に広く形成され、ドロップホール３１０を閉鎖し、ジョッキ４００によって第２の端部３２３が押し上げられる時、共に上昇してドロップホール３１０を開放させる。
【００９０】
一方、開閉部材３２０の第２の端部３２３は、図５に示すように、ジョッキ４００の上面と接触しながら上側に上昇する。このように、ジョッキ４００がケーシング１００内に挿入される時、第２の端部３２３はジョッキ４００の上面と滑り接触することになるが、このような滑り接触時の摩擦を減少させるために第２の端部３２３は下面が下側に膨らんだボール（ｂｏｗｌ）形態を有する。このように、第２の端部３２３がボール形態からなる場合、ドロップホール３１０を介して下側に落ちたコーヒーは第２の端部３２３の上面に溜まることがある。このように、第２の端部３２３の上面にコーヒーが溜まることを防止するために第２の端部３２３には図６に示すように、上面に溜まったコーヒーをジョッキ４００の内部に落下させるための多数のホール３２３ａが貫通形成される。
【００９１】
スプリング３３０は開閉部材３２０とファンネル３００との間に提供される。これをもっと具体的に説明すれば、スプリング３３０は長さ方向に圧縮力を受ける時、弾性エネルギーを蓄積した後、圧縮力の解除時に復元される通常の圧縮スプリングからなり、図６に示すように、一端が開閉部材３２０の第２の端部に接触して固定され、他端がファンネル３００の底面に接触して固定されるように提供される。このように提供されるスプリング３３０は常時第２の端部３２３を下側方向に押し出す力を提供する。それ故に、スプリング３３０の力によって開閉部材３２０の一部、より詳しくは、第１の端部３２２は常時ドロップホール３１０に密着された状態を維持しながら、ドロップホール３１０を閉鎖する。
【００９２】
上記のように提供されるスプリング３０の作用を簡単に説明する。ジョッキ４００がケーシング１００内に収納された時に、第２の端部３２３がジョッキ４００の上面に接触して押し上げられることになると、第１の端部３２２も共に上昇してドロップホール３１０が開放される。そして、この時、スプリング３３０は圧縮されて弾性エネルギーを蓄積することになる。反対に、ジョッキ４００がケーシング１００内に収納された状態で外部に引出されると、第２の端部３２３を押していた力が消えるので、スプリング３３０は元の状態に取り戻され、これにより、第２の端部３２３が下側に下降しながら、第１の端部３２２も共に下降してドロップホール３１０を閉鎖する。
【００９３】
上記のように作動するコーヒー吐出バルブ３４０でスプリング３３０は単にコイル形態の圧縮スプリングに限定されない。即ち、スプリング３３０は上記開閉部材３２０とファンネル３００との間に提供され、開閉部材３２０を下側に押す力を提供すればよい。このように提供されるスプリング３３０の他の実施形態としては、両端がそれぞれ第２の端部３２３とファンネル３００の底面とに固定され、第２の端部３２３が外力により上側に上昇する時、変形しながら弾性エネルギーを蓄積した後、第２の端部３２３に加えられた外力が除去されると、弾性力によって再び復元しながら、第２の端部３２３を下降させる一種の板スプリングを挙げることができる。
【００９４】
一方、本発明の第２の実施形態において、コーヒー吐出バルブ３４０は図６に示すようにオーリング３２５を更に含んでなる。ここで、オーリング３２５はドロップホール３１０が形成されたファンネル３００の底面と第１の端部３２２との間に提供され、第１の端部３２２がドロップホール３１０に密着してドロップホール３１０を閉鎖する時、気密性を高めて漏水を防止する役割をする。
【００９５】
第２の実施形態では、また、ジョッキ４００がケーシング１００に完全に挿入された時、給水チューブ５００の一端５１０によって押されながら開放され、水を給水チューブ５００に供給し、ジョッキ４００がケーシング１００から引出された時には閉鎖されて水タンク２００の内部に貯蔵された水が外部に漏出されることを防止する給水バルブ２５０を提供する。以下では、給水バルブ２５０の構造に対し、図６及び図７を参照して詳しく説明する。
【００９６】
給水バルブ２５０はバルブボディー２５１、流路制御板２５２、そして、バルブスプリング２５３を含んでなる。
【００９７】
バルブボディー２５１は内部に空間を有しており、水タンク２００の水が流入するインレット２５１ｂと外部に水が排出されるアウトレット２５１ａとを有している。このようなバルブボディー２５１はインレット２５１ｂが水タンク２００の内部に位置し、アウトレット２５１ａが水タンク２００の外部に位置するように水タンク２００の片側、もっと詳しくは、水タンク２００の底面または下部の側面を貫通するように提供される。図７にはバルブボディー２５１がパイプ形態からなった実施形態を示す。図７において、アウトレット２５１ａはバルブボディー２５１の開放された一端に形成され、バルブボディー２５１の内部直径より小さい直径を有している。そして、インレット２５１ｂはバルブボディー２５１の開放された他端５６０に挿入された支持板２５５に貫通形成される。しかし、バルブボディー２５１は図７に図示された、両端が開放されたパイプ形態にのみ局限されない。例えば、図７のバルブボディー２５１で水タンク２００内に位置した端部が完全に閉鎖され、代わりに、バルブボディー２５１の直径方向の周面にインレットが形成されることもできる。
【００９８】
流路制御板２５２はバルブボディー２５１の内部空間を移動できるようにバルブボディー２５１の内部空間に挿入される。流路制御板２５２はバルブボディー２５１の内径と同一の外径を有するのが望ましい。そして、アウトレット２５１ａに接触してこれを防いでいながら、給水チューブ５００の一端５１０によって押されて移動し、アウトレット２５１ａを開放させる。このような流路制御板２５２は図７に図示されたように、インレット２５１ｂが流路制御板２５２の後側に位置した支持板２５５に貫通形成された場合には、水が貫通するための多数の通孔（図示せず）を有する。これをもっと詳しく説明すれば、通孔は流路制御板２５２の縁部に沿って多数が形成されるが、図７に示すように、流路制御板２５２がアウトレット２５１ａ側に密着している場合には閉鎖され、流路制御板２５２がアウトレット２５１ａ側から離れている場合には開放されて水を通過させる。このような構造は上記した説明だけでも誰もが容易に類推できるので、図示は省略する。一方、インレットがバルブボディー２５１の直径方向の円周面に形成された場合には、流路制御板２５２は通孔を有する必要がない。即ち、流路制御板２５２がアウトレット２５１ａ側に密着された場合には、アウトレット２５１ａが閉鎖されて水が外部に排出されないが、流路制御板２５２がバルブボディー２５１の直径方向の円周面に形成されたインレットより後側に移動すれば、インレットとアウトレット２５１ａとが連通するので、水タンク２００内に貯蔵された水が外部に排出される。このような構造もやはり上記した説明だけでも誰もが類推できるので、図示省略する。
【００９９】
バルブスプリング２５３はバルブボディー２５１の内部空間に挿入されて流路制御板２５２をアウトレット２５１ａ側に密着させる弾性力を提供する。これを更に説明すれば、バルブスプリング２５３の一端は支持板２５５に支持されるか、バルブボディー２５１の片側に固定され、バルブスプリング２５３の他端は流路制御板２５２に固定される。このように設けられたバルブスプリング２５３は流路制御板２５２を常時アウトレット２５１ａ側に押す力を提供し、給水チューブ５００の一端５１０に押されて後側に移動することにより、圧縮力を受ける時、弾性エネルギーを蓄積していながら、弾性復元力で流路制御板２５２を再び元の所に位置させる。バルブスプリング２５３は図７に示すコイル形態の圧縮スプリングだけでなく、多様な形態で実現できる。
【０１００】
上記のように構成された給水バルブ２５０は流路制御板２５２がアウトレット２５１ａに密着した時、気密性を高めて漏水を防止できるようにオーリング５２４が更に備えられるオーリング５２４はアウトレット２５１ａと流路制御板２５２との間に位置した給水バルブ２５０の内周面に提供される。
【０１０１】
一方、第２の実施形態では、水タンク２００の給水バルブ２５０を効果的に作動させるために給水チューブ５００の一端５１０に形成される押しピン５１１を提供する。押しピン５１１は図７に示すように、給水チューブ５００の一端５１０から延長され、水タンク２００がケーシング１００内に安着された時、給水バルブ２５０の流路制御板２５２を押してバルブボディー２５１のアウトレット２５１ａを開放させる役割をする。そして、給水バルブ２５０のアウトレット２５１ａが開放された時、給水バルブ２５０のバルブボディー２５１と給水チューブ５００の一端との間から水が漏れないように給水バルブ２５０のバルブボディー２５１は給水チューブ５００の一端に完全に挿入される。このため、給水チューブ５００の一端５１０はバルブボディー２５１の外径と同じであるか、それより少し大きい内径を有する。そして、バルブボディー２５１が給水チューブ５００の一端５１０内に挿入された時、気密性をもっと高めるために給水バルブ２５０の一端５１０の内周面にはオーリング５１２が更に備えられる。このようにオーリング５１２が提供されると、バルブボディー２５１が一端５１０に挿入された時、バルブボディー２５１の外周面はオーリング５１２の内周面に挿入されるので、気密性が一層向上されて漏水が防止される。
【０１０２】
第２の実施形態には、また、給水バルブ２５０内で逆流が発生しないようにチェックバルブ５５０が形成され、ケーシング１００内に安置されたジョッキ４００を効果的に加熱するための加熱板が更に備えられる。これらに対する詳しい説明は上記第１の実施形態の説明に記載されているので省略する。
【０１０３】
一方、本発明の第２の実施形態では、卵を茹でたり、お茶をとることができるなどの多様な機能を有したジョッキ４００を提供する。以下では、図８乃至図１１を参考してジョッキ４００の多様な実施形態について説明する。
【０１０４】
ジョッキ４００はジョッキボディー４１０、そして、摘み４２０を含んでなる。ジョッキボディー４１０はその内部にコーヒーを貯蔵する空間を有し、上部が開放された形態からなる。このようなジョッキボディー４１０は外部からコーヒーの容量などが容易にわかるように、透明な材質のガラスまたはプラスティックからなるのが好ましい。もちろん、不透明材料でも構わない。
摘み４２０は外部で容易に握られるように、ジョッキボディー４１０の片側から延長される。
【０１０５】
本発明の第２の実施形態でジョッキ４００は図８及び図１１に示すように、枠補強部材４３０、そして、ジョッキカバー４４０を更に含んでなる。枠補強部材４３０はジョッキボディー４１０の開放された上側の内外部の周面を覆うように提供される。そして、ジョッキカバー４４０はジョッキボディー４１０の開放された上側を開閉するように提供される。ここで、ジョッキカバー４４０は図８及び図１１に示すように、ジョッキボディー４１０と完全に分離された胴体から構成されることができる。また、ジョッキカバー４４０は、例え、図示していないが、片側が枠補強部材４３０、またはジョッキボディー４１０にヒンジ（図示せず）を中心として回転可能に結合されることもでき、上記のヒンジを中心として回転可能でありながら、相互分離が可能に結合されることもできる。一方、ジョッキカバー４４０にはファンネル３００のドロップホール３１０から落ちる液状のコーヒーが通過するように流入ホール４４１が貫通形成される。
【０１０６】
本発明の第２の実施形態でジョッキ４００は上記のような基本的な構成を有し、卵を茹でたり、お茶をいれる付加的な機能が行えるように、多様な構造が更に備えられる。このような付加的な機能に従うジョッキ４００の様々な実施形態などを説明する。
【０１０７】
図８に示すジョッキ４００の一実施形態はハンガー４３１、そして、卵用ゆで器４５０を更に含んでなる。
ハンガー４３１は物体を挟んで掛けられるように枠補強部材４３０からジョッキボディー４１０の内側に爪形態に延長される。
【０１０８】
そして、卵用ゆで器４５０はネット形態に編まれてその内部に少なくとも一つ以上の卵が収容され、その一部がハンガー４３１に挟まれてジョッキボディー４１０内に固定される。以下では、このような卵用ゆで器４５０の詳細な構成について説明する。
【０１０９】
卵用ゆで器４５０は第１の部材４６０、そして、第２の部材４７０を含んでなる。第１の部材４６０は垂直部材４５３と水平部材４５４とがネットのように編まれて構成され、相互回転可能なようにヒンジ４５１により相互結合される。このように、ヒンジ４５１により相互回転可能に結合される第１の部材４６０と第２の部材４７０との片側、例えば、ヒンジ４５１のある反対側にはそれぞれフック４６１とフックホルダー４７１とが提供される。フック４６１は第１の部材４６０から突出し、フックホルダー４７１は第２の部材４７０から延長され、第１の部材４６０と第２の部材４７０とが折れて結合された時、フック４６１がフックホルダー４７１に係止されることにより、第１の部材４６０と第２の部材４７０とが相互結合された状態で固定される。
【０１１０】
第１の部材４６０と第２の部材４７０とは図９及び図１０に示すように、それぞれ卵の外周面の半分くらいを収容できる窪んだ曲面を有する。それ故に、図８に示すように、第１の部材４６０と第２の部材４７０とが相互結合されたら、上記窪んだ曲面が形成する内部空間に卵を収容できるようになる。このように、第１の部材４６０と第２の部材４７０とに形成される窪んだ曲面は、その内側に多数の卵を並べて収容できるように長く形成される。即ち、第１の部材４６０と第２の部材４７０とに形成されたそれぞれの窪んだ曲面は一種の長い半円形のチャンネルのように形成されるものである。このような窪んだ曲面は図９に示すように、第１の部材４６０と第２の部材４７０とにそれぞれ２列に備えることができ、図１０に示すように、それぞれ１列に備えることもできる。
【０１１１】
上記のように構成された第１の部材４６０と第２の部材４７０とにおいて、水平部材４５３は卵用ゆで器４５０の内部に安着された卵の両側を支持できるように窪んだ曲面内側に突き出ている。このように、水平部材４５３が卵の両側を支持できるように内側に突き出ていれば、卵用ゆで器４５０の内部に収容された個々の卵が移動することを防止できる。このような水平部材４５３は図９に示すように、卵の長さ方向の両端部を支持できるように広い間隔で配置することができ、図１０に示すように、卵の幅方向の両端部を支持できるように狭い間隔で配置することもできる。このように配置される水平部材４５３の突出高さは卵のどのような部位を支持するかによって異なる。また、卵の収容方向はケーシング１００及びジョッキ４００の大きさに鑑みて決定しなければならない。このように、卵の収容方向が決定されると、これによって窪んだ曲面の曲率及び列数、そして、水平部材４５３の配置間隔などが共に決定される。
【０１１２】
そして、図８乃至図１０に示すように、第１の部材４６０または第２の部材４７０の端部には少なくとも一つ以上の固定片４５２が延長される。このように、卵用ゆで器４５０から延長された固定片４５２は図８に示すように、ハンガー４３１に挟まれて卵用ゆで器４５０がジョッキボディー４１０の内側に位置した状態で固定される。
【０１１３】
図１１はジョッキ４００の他の実施形態を示す。図１１を参照すると、ジョッキ４００はラック４８０、そして、茶こし器を更に含んでなる。
ラック４８０は図１１に示すように多数個が、例えば、一対が、枠補強部材４３０からジョッキボディー４１０の内側に水平に突出される。そして、茶こし器４９０はその内部に茶葉、または粉末状態のお茶などが貯蔵され、一端がラック４８０に掛かって支持された状態で固定され、一部がジョッキボディー４１０に貯蔵された水に浸かるように提供される。このような茶こし器４９０はメッシュ４９１とフランジとを含んでなる。ここで、メッシュ４９１は図１１に図示されたように、その内部にお茶を収容する空間を有し、上側が開放された容器構造を有する。そして、フランジ４９２はメッシュ４９１の開放された上側縁に沿って広く延長される。
【０１１４】
一方、ジョッキ４００の他の実施形態では一回用ティーバッグを用いて便利にお茶をいれることができる構造を提供する。このため、ラック４８０には図１１に示すように、スリット（図示せず）、または固定溝４８１が提供される。
スリットはラック４８０の外周面から内側へカッティングされ、上記の固定溝４８１はラック４８０の外周面から内側へ楔状にカッティングされる。このように形成されたスリット、または固定溝４８１にはティーバッグ、またはティーインフューザに連結された紐が挟まれて固定されるので、お茶を便利にいれることができる。
【０１１５】
上述した構造を有する本発明の第２の実施形態でコーヒーメーカーは次のように作動する。
まず、ファンネル３００と一つの胴体に構成された水タンク２００とを外部に引出して水を供給し、フィルターをファンネル３００に装着してフィルター上に粉末コーヒーを供給した後、水タンク２００をケーシング１００の内側に収納する。ケーシング１００内に収納された水タンク２００は下面がブラケット１２０により支持される。水が貯蔵された水タンク２００をケーシング１００に完全に収納した後、コントローラを操作してコーヒーメーカーを作動させる。
【０１１６】
ケーシング１００に水タンク２００が完全に収納されると、給水チューブ５００の一端５１０にある押しピン５１１が給水バルブ２５０の流路制御板２５２を押して流路制御板２５２を後側に移動させるので、アウトレット２５１ａが開放する。アウトレット２５１ａが開放されると、水タンク２００に貯蔵された水はインレット２５１ｂを介してバルブボディー２５１内に流入した後、アウトレット２５１ａを介して給水チューブ５００に供給される。給水チューブ５００に流入した水はケーシング１００の下側にあるヒータ６００と接触する部分を通りながら加熱される。このように水が加熱されると、第１の実施形態で説明したように、チェックバルブ５５０により水の逆流が防止される。
そして、加熱されて高圧力を有した熱水は給水チューブ５００の他端５６０を介してファンネル３００に供給される。
【０１１７】
一方、ジョッキ４００はきれいに洗ってケーシング１００の加熱板上に載置する。このように、ジョッキ４００をケーシング１００内に収納すると、ジョッキカバー４４０の上面に、コーヒー吐出バルブ３４０の第２の端部３２３が接触して上昇することになり、ドロップホール３１０が開放される。このように、ドロップホール３１０が開放されると、ファンネル３００から生成された液状コーヒーがドロップホール３１０を介して下側に落下する。このように落下したコーヒーはジョッキカバー４４０の流入ホール４４１を貫通した後、ジョッキボディー４１０に収納される。ジョッキボディー４１０に収納された熱い液状コーヒーは加熱板を介して持続的に熱が供給されるので、常時熱い状態を維持する。
【０１１８】
一方、水タンク２００を外部に引出すと、給水バルブ２５０の流路制御板２５２がアウトレット２５１ａを防ぐことになるため、給水チューブ５００に水がこれ以上供給されない。また、ジョッキ４００をケーシング１００から外部に引出す場合、コーヒー吐出バルブ３４０の開閉部材３２０が下降しながら、ドロップホール３１０を閉鎖することになるため、ファンネル３００にある液状コーヒーはジョッキ４００に落下しない。
【０１１９】
本発明の第２の実施形態は上記のような過程を通じてコーヒーを生産する。以下では、ジョッキ４００の多様な実施形態を用いた付加的な機能の使用時の作動について説明する。
【０１２０】
まず、本発明の第２の実施形態を用いて卵を茹でる場合、図８乃至図１０に示すジョッキ４００の一実施形態を用いる。卵用ゆで器４５０を図９及び図１０に示すように拡げる。そして、第１の部材４６０または第２の部材４７０の窪んでいる曲面に所定の個数の卵を配列した後、第１の部材４６０または第２の部材４７０のうち、いずれか一つをヒンジ４５１を中心として回転させる。そして、フック４６１をフックホルダー４７１に係止する。卵が収納された卵用ゆで器４５０を図８に示すようにジョッキボディー４１０の内側に固定する。
この時には固定片４５２をハンガー４３１に挟んで固定すればよい。
【０１２１】
上記のように、卵が収納された卵用ゆで器４５０がジョッキボディー４１０の内側に収納したら、水タンク２００に水を供給してケーシング１００内に収納した後、コーヒーメーカーを作動させる。すると、水タンク２００内の水が給水チューブ５００を通りながらヒータ６００により加熱され、加熱された水はファンネル３００を経由した後、ジョッキボディー４１０の内側に貯蔵される。このように、湯がジョッキボディー４１０の内側に一定の水位、供給された後、所定の時間が過ぎると、卵がゆであがる。
【０１２２】
卵がゆで上ったら、卵用ゆで器４５０をジョッキボディー４１０の内側から引出した後、フック４６１とフックホルダー４７１とを分離する。そして、卵用ゆで器４５０を拡げた後、ゆでられた卵を取り出して料理するのに使用する。
【０１２３】
一方、本発明の第２の実施形態を用いてお茶をいれる場合には、図１１に図示されたジョッキ４００の他の実施形態を用いる。まず、粉末、または葉状のお茶をいれる時は、茶こし器４９０を用いる。粉末、または葉状のお茶を茶こし器４９０のメッシュ４９１内に所定量、供給する。そして、フランジ４９２がラック４８０の上端に掛かり支持されるように茶こし器４９０をジョッキボディー４１０の内側に安置させる。
【０１２４】
茶こし器４９０が安置されたジョッキ４００をケーシング１００内に収納した後、水が貯蔵された水タンク２００をケーシング１００内に収納する。そして、コーヒーメーカーを作動させると、加熱された水が給水チューブ５００とファンネル３００とを経由して茶こし器４９０へ落下する。この時、お湯は茶こし器４９０を経由しながら液状のお茶になる。一方、ジョッキボディー４１０に貯蔵された液状のお茶の水位が高くなると、茶こし器４９０に貯蔵された粉末、または葉状のお茶が液状のお茶に浸るので、お茶が一層濃くなる。
【０１２５】
上記のように、ジョッキボディー４１０内に貯蔵された液状のお茶はヒータにより暖められるので、常時暖かい状態を維持する。それ故に、使用者はいつでもジョッキ４００を外部に引出して熱いお茶を楽しむことができる。
【０１２６】
一方、ティーバッグ、またはティーインフューザを用いてお茶を入れる時には、ティーバッグ、またはティーインフューザにある紐を、ラック４８０に形成されたスリット、または固定溝４８１に挟んで固定した後、コーヒーメーカーを作動させればよい。すると、熱い水がジョッキボディー４１０内に貯蔵されながら、ティーバッグ、またはティーインフューザにあるお茶の成分が水に溶けるので、熱い液状のお茶を入れることができる。所定の時間、お茶をとったら、スリット、または固定溝４８１に挟まれた紐を外し、ジョッキボディー４１０からティーバッグ、またはティーインフューザを引出す。
【０１２７】
上述した本発明の第２の実施形態は次のような長所を有する。
第一に、ファンネルと水タンクとが一つの胴体から形成されるので、従来よりコーヒーメーカーをコンパクト化することができる。このように、コーヒーメーカーがコンパクト化すると、電子レンジの電装室に余裕空間が多く確保されるので、設計が一層容易になる。
【０１２８】
第二に、ジョッキが多様な実施形態として実現されるにつれて本発明の第２の実施形態に従う電子レンジを用いてコーヒーを作ること以外にも、卵をゆでたり、お茶をいれたりすることができる。それ故に、本発明の第２の実施形態は電子レンジの基本的な機能以外にも多様な機能を提供するので、極めて便利で、有用に使用することができる。
【０１２９】
第３の実施形態
本発明の第３の実施形態はファンネルからドロップされた液状コーヒーを多数のコップにそれぞれ貯蔵することができる構造を提供する。
本発明の第２の実施形態の構造的な特徴は図１２乃至図１４に図示されており、これらの図面を参照して第３の実施形態の構造を詳しく説明する。
【０１３０】
図１２を参照すると、本発明の第３の実施形態はキャビティ２０、キャビティドア４０、電装室５０、ケーシング１００、給水チューブ５００、一つの胴体からなる水タンク２００とファンネル３００、多数のコップ７００、ヒータ６００、そして、ハウジング６０を含んでなる。
【０１３１】
フレーム３００の内側に形成されたキャビティ２０は前方が開放され、キャビティドア４０はキャビティ２０の開放された前方を開閉するように提供される。電装室５０はキャビティ２０の側面に提供され、ここにマグネトロン５１、トランス５２、そして、送風ファン５３を始めとした電気部品などが装着される。ケーシング１００は電装室５０の内部の前方に提供され、水タンク２００とファンネル３００及びジョッキ４００はケーシング１００の内部に引き出し及び押し込み可能に提供される。ヒータ６００はケーシング１００の底部に提供され、給水チューブ５００は一端５１０が水タンク２００と連結され、他端５６０がファンネル３００の上側に位置し、一部がヒータ６００と接触されるように提供される。そして、ハウジング６０はフレーム３０と電装室５０を覆蓋して電子レンジの内部部品を保護する。
【０１３２】
ここで、キャビティ２０と電装室５０とを始めた電子レンジを構成する基本的な構成、そして、ケーシング１００と給水チューブ５００，ヒータ６００及び加熱板など、コーヒーメーカーを構成する構成要素については第１の実施形態及び第２の実施形態で詳細に説明したので、その詳しい内容は省略する。但し、以下では第１の実施形態とその構成が異なるとか、新たに追加された構成要素を中心として第２の実施形態の詳細な構成に対して説明する。
【０１３３】
ケーシング１００の開放された前方にはフロントカバー１３０が取り付けられる。フロントカバー１３０は図１２に示すように、ケーシング１００の内部と外部とを連通させる開口部を有する。そして、カバードア１４０がフロントカバー１３０の開口部を全部、または一部を開閉できるように提供される。ここで、カバードア１４０は閉じられた時、水タンク２００の下側に収納される多数のコップ７００などが外部に露出しないように、上記開口部の一部を開閉するように提供されるのが好ましい。上記のように提供されるフロントカバー１３０はキャビティドア４０と連続する面を有し、カバードア１４０もやはりフロントカバー１３０と連続した面を有するのが好ましい。
【０１３４】
一方、第３の実施形態でファンネル３００と水タンク２００とは、第２の実施形態で説明されたように一つの胴体からなる。そして、水タンク２００の片側には給水バルブ２５０が提供される。上述した構造については、既に詳しく説明されているので省略する。但し、第３の実施形態には第２の実施形態とは異なり、コーヒー吐出バルブが提供されず、その代わり、図１３に示すように、ファンネル３００内の液状のコーヒーをいろいろな地点に案内する多数のコーヒー流路３５０及び下方にコーヒーを吐出させる多数のコーヒー吐出ホール３５１を有する。このようなコーヒー流路３５０はその内側に液状コーヒーが流動できるようにファンネル３００の底面に形成され、多数のコーヒー吐出ホール３５１は、コーヒー流路３５０と外部とが連通するようにファンネル３００の底面を貫通して多数が形成される。このように、ファンネル３００の底面にコーヒー流路３５０とコーヒー吐出ホール３５１とが提供されると、ファンネル３００で生成された液状のコーヒーはコーヒー流路３５０に沿って流動し、それぞれのコーヒー吐出ホール３５１から下側に落下するので、ファンネル３００下側の多数の地点から液状のコーヒーが落下する結果が得られる。
【０１３５】
上記のように、ファンネル３００の下側の多数の地点から落下する液状コーヒーを受けて貯蔵するためのコンテナーとして本発明の第３の実施形態では多数のコップ７００が提供される。
【０１３６】
第３の実施形態で使用されるコップ７００は一回用コップとか、洗って使用できるコップを共に使用することができる。一回用コップを使用する場合、家庭、または事務室などで負担なく外部へ持って行きコーヒーを楽しむことができる。
【０１３７】
第３の実施形態では、また、図１２乃至図１４に示すように、多数のコップ７００を液状のコーヒーが落下する正確な地点にそれぞれ安置させるためのコップホルダー７５０を提供する。このようなコップホルダー７５０は板材形状からなり、その上面にはそれぞれのコップ７００を据え置くための据え置き溝７５１が多数形成される。このような据え置き溝７５１はコップホルダー７５０がケーシング１００に完全に挿入されて収納された時、ファンネル３００の底面から落下したコーヒーが受けられる地点に形成される。一方、第３の実施形態には、図示してはないが、据え置き溝７５１の代わりに据え置きホール（図示せず）が提供されることもできる。据え置きホールは据え置き溝７５１と同一の地点でコップホルダー７５０を上下方向に貫通するように形成される。据え置きホールが提供されると、据え置きホールの内側にコップ７００を挟んで固定できるので、より一層安定的にコップ７００を据え置くことができる。このような据え置きホールは上述した説明だけでも誰もが容易に類推可能なので、本明細書ではその説明を省略する。
【０１３８】
上述したように、コップホルダー７５０はケーシング１００の内部に引き出し及び押し込み可能に提供されるが、コップホルダー７５０がケーシング１００の内部に安定的に安置され得るように、ケーシング１００にはコップホルダー７５０を案内するためのガイド溝１５０が更に提供される。ガイド溝１５０は図１２及び図１４に示すように、ケーシング１００の両側内面に前後方向に窪まって形成される。コップホルダー７５０の両側端部はガイド溝１５０にそれぞれ挿入され、コップホルダー７５０の引き出し及び押し込み時にガイド溝１５０の案内を受ける。
【０１３９】
上記のような構成を有する第３の実施形態は次のように作動する。
コップホルダー７５０をケーシング１００から引出してそれぞれの据え置き溝７５１、または据え置きホールにコップ７００を据え置く。コップ７００が据え置かれたコップホルダー７５０の両側端部をガイド溝１５０にそれぞれ挿入した後、ケーシング１００の内側に押し込んでコップホルダー７５０を収納する。
【０１４０】
コップホルダー７５０がケーシング１００に収納されると、ファンネル３００にフィルターと粉末コーヒーを供給し、水タンク２００に水を供給した後、水タンク２００をケーシング１００内に収納する。水タンク２００が収納されれば、水が給水チューブ５００を経由しながら、ヒータ６００により加熱された後、ファンネル３００へ供給される。ファンネル３００へ供給された湯は粉末コーヒーが溶解されて液状のコーヒーになる。液状のコーヒーはファンネル３００の下側に提供されたコーヒー流路３５０を介して流動し、多数のコーヒー吐出ホールを介してファンネル３００の底面のいろいろな地点から下側に落ちる。このように、落ちたコーヒーはコップホルダー７５０に安置された多数のコップ７００にそれぞれ貯蔵される。
【０１４１】
上記のように、多数のコップ７００にそれぞれ液状のコーヒーが貯蔵されると、使用者が室内だけでなく、外出する時にもコップ７００のみ引出して持っていけばよいので、極めて便利に使用できる。
【０１４２】
上述したように、第３の実施形態で提供されるコーヒーメーカーは多数の携帯用コップにコーヒーを貯蔵できるので、使用者がいつでもコーヒーを持って外出可能であり、忙しい生活の現代人にとってとても便利で有用に使えるものである。
【０１４３】
【発明の効果】
以上説明したように、本発明の第１、２、３の実施形態は、コーヒーメーカーが電子レンジの大きさを変更せず、電装室に装着されたことを基本的な技術的特徴としている。そして、それぞれの実施形態などでは多数の付加的な機能などを提供している。
【０１４４】
上記のように、幾つかの実施形態が説明されたのにも拘わらず、本発明がこの趣旨及びカテゴリから外れることなく、他のいろいろな形態として具体化されることができるという事実は、当該技術に通常の知識を持つ者には自明なことである。
【０１４５】
従って、上述した実施形態は制限的なものではなく、例示的なものであると認められなければならず、添付された請求項及びこれの同等範囲内のすべての実施形態は本発明のカテゴリ内に含まれる。
【図面の簡単な説明】
【図１】本発明の第１実施形態の構造を示す一部の分解斜視図である。
【図２】本発明の第１実施形態の構造を示す部分側断面図である。
【図３】本発明による電子レンジのケーシングを底面から見た斜視図である。
【図４】本発明の第２実施形態の構造を示す一部の分解斜視図である。
【図５】本発明の第２実施形態の構造を示す部分側断面図である。
【図６】図５のＡ部分の拡大図である。
【図７】図５のＢ部分の拡大図である。
【図８】ジョッキの一実施形態を示す一部の切開斜視図である。
【図９】卵用ゆで器の一実施形態を示す斜視図である。
【図１０】卵用ゆで器の他の実施形態を示す斜視図である。
【図１１】ジョッキの他の実施形態を示す分離斜視図である。
【図１２】本発明の第３実施形態の構造を示す一部の分解斜視図である。
【図１３】本発明の第３実施形態の構造を示す部分側断面図である。
【図１４】本発明の第３実施形態でケーシングを一部切開した形状を示す部分斜視図である。
【図１５】一般的な電子レンジの構造を示す分解斜視図である。
【符号の説明】
２０…キャビティ
４０…キャビティドア
５０…電装室
１００…ケーシング
２００…水タンク
２５０…給水バルブ
３００…ファンネル
３４０…コーヒー吐出バルブ
４００…ジョッキ
４５０…卵用ゆで器
４９０…茶こし器
５００…給水チューブ
６００…ヒータ
７００…コップ
７５０…コップホルダー
【図１】
2004003814.tif 000003
【図２】
2004003814.tif 000004
【図３】
2004003814.tif 000005
【図４】
2004003814.tif 000006
【図５】
2004003814.tif 000007
【図６】
2004003814.tif 000008
【図７】
2004003814.tif 000009
【図８】
2004003814.tif 000010
【図９】
2004003814.tif 000011
【図１０】
2004003814.tif 000012
【図１１】
2004003814.tif 000013
【図１２】
2004003814.tif 000014
【図１３】
2004003814.tif 000015
【図１４】
2004003814.tif 000016
【図１５】
2004003814.tif 000017